(57)【要約】【課題】リモコン装置の充電を確実に行いつつ、リモコン装置を充電する際に人体に与える影響を低減できる便器システム及び便器装置を提供すること。【解決手段】本体２の人体検知センサ１６により人が検知されていない場合に、本体２の電力送信用アンテナ１４からリモコン装置２の電力受信用アンテナ２３に対して電波による電力送信が行われるので、本体２の近くに人がいない場合に、本体２からリモコン装置３への電力送信を行うことができ、ユーザが有する精密機械（例えば、ペースメーカなど）に悪影響を与えることを防止できる。また、ユーザが便器システム１を使用しない時間帯は、１日２４時間のうち９割あり、その９割の時間帯で本体２からリモコン装置３への電力送信を行うので、リモコン装置３の充電回路２７に対する充電を充分に行うことができる。【選択図】図３
2010053536.tif 000002
【特許請求の範囲】
【請求項１】
便座および便蓋が取り付けられる本体と、その本体とは別体に構成されると共に操作子の操作に基づく指示信号を前記本体に送信可能なリモコン装置とを備えた便器システムにおいて、
前記本体は、外部電源から供給される電力を前記リモコン装置に対して送信する電力送信用アンテナを備えると共に、前記リモコン装置は、前記電力送信用アンテナから送信される電力を受信する電力受信用アンテナを備え、前記本体の電力送信用アンテナと前記リモコン装置の電力受信用アンテナとの間で、電波による電力送信を行うように構成され、
前記リモコン装置は、
前記電力受信用アンテナにより受信した電力を充電する充電手段を備え、
前記本体は、
人体を検知する人体検知センサと、
その人体検知センサにより人体が非検知である場合に、前記電力送信用アンテナから前記リモコン装置に対して電波による電力送信を行う電力送信手段とを備えていることを特徴とする便器システム。
【請求項２】
前記電力送信用アンテナは、前記便座または便蓋の内部であって、その便座または便蓋の外縁に沿って取り付けられており、
前記本体は、
前記電力送信用アンテナが内部に取り付けられた便座または便蓋の開閉動作を行う駆動手段と、
前記人体検知センサにより人体が非検知である場合に、前記電力送信用アンテナが内部に取り付けられた便座または便蓋を、前記駆動手段により開動作させる開動作実行手段とを備え、
前記電力送信手段は、前記電力送信用アンテナが内部に取り付けられた便座または便蓋を前記開動作実行手段により開動作させた開状態で、前記電力送信用アンテナから電力送信を行うものであることを特徴とする請求項１記載の便器システム。
【請求項３】
前記リモコン装置は、
前記充電手段に充電された電力が所定レベル以上になると、過充電を示す信号を前記本体に対して送信する信号送信手段とを備え、
前記本体は、
前記リモコン装置から前記過充電を示す信号を受信した場合に、前記電力送信用アンテナによる電力送信を停止する停止手段を備えていることを特徴とする請求項１又は２に記載の便器システム。
【請求項４】
前記リモコン装置からの前記指示信号の送信および前記本体の前記指示信号の受信は、前記リモコン装置の電力受信用アンテナ及び前記本体の電力送信用アンテナを介して行われることを特徴とする請求項１から３のいずれかに記載の便器システム。
【請求項５】
操作子の操作に基づく指示信号を送信するリモコン装置と通信可能に構成されると共に前記リモコン装置とは別体に構成され、便座および便蓋が取り付けられた便器装置において、
外部電源から供給される電力を前記リモコン装置に対して電波により送信する電力送信用アンテナと、
人体を検知する人体検知センサと、
その人体検知センサにより人体が非検知である場合に、前記電力送信用アンテナから前記リモコン装置に対して電波による電力送信を行う電力送信手段とを備えていることを特徴とする便器装置。
【発明の詳細な説明】
【技術分野】
【０００１】
本発明は、便器システム及び便器装置に関し、特に、リモコン装置の充電を確実に行いつつ、リモコン装置を充電する際に人体に与える影響を低減できる便器システム及び便器装置に関するものである。
【背景技術】
【０００２】
特開２００１−２３８２７１号公報（以下「特許文献１」と称す）には、洗浄機能付暖房便座内に人体を検知する人体センサを設け、その人体検知センサから人体を検知する為に常に送信される電波によって、リモコン装置内に設けられた電力チャージ部に充電を行う便器システムが開示されている。
【特許文献１】特開２００１−２３８２７１号公報
【発明の開示】
【発明が解決しようとする課題】
【０００３】
しかしながら、特許文献１の便器システムでは、人体検知センサから人体を検知する為に常に送信される電波によってリモコン装置内の電力チャージ部の充電を行うことはできるが、電波を常に送信し続けるので、精密機器（例えば、ペースメーカーなど）を使用しているユーザに対して悪影響を与える可能性があるという問題点があった。
【０００４】
本発明は、上述した問題点を解決するためになされたものであり、リモコン装置の充電を確実に行いつつ、リモコン装置を充電する際に人体に与える影響を低減できる便器システム及び便器装置を提供することを目的としている。
【課題を解決するための手段】
【０００５】
この目的を達成するために請求項１記載の便器システムは、便座および便蓋が取り付けられる本体と、その本体とは別体に構成されると共に操作子の操作に基づく指示信号を前記本体に送信可能なリモコン装置とを備えており、前記本体は、外部電源から供給される電力を前記リモコン装置に対して送信する電力送信用アンテナを備えると共に、前記リモコン装置は、前記電力送信用アンテナから送信される電力を受信する電力受信用アンテナを備え、前記本体の電力送信用アンテナと前記リモコン装置の電力受信用アンテナとの間で、電波による電力送信を行うように構成され、前記リモコン装置は、前記電力受信用アンテナにより受信した電力を充電する充電手段を備え、前記本体は、人体を検知する人体検知センサと、その人体検知センサにより人体が非検知である場合に、前記電力送信用アンテナから前記リモコン装置に対して電波による電力送信を行う電力送信手段とを備えている。
【０００６】
請求項２記載の便器システムは、請求項１記載の便器システムにおいて、前記電力送信用アンテナは、前記便座または便蓋の内部であって、その便座または便蓋の外縁に沿って取り付けられており、前記本体は、前記電力送信用アンテナが内部に取り付けられた便座または便蓋の開閉動作を行う駆動手段と、前記人体検知センサにより人体が非検知である場合に、前記電力送信用アンテナが内部に取り付けられた便座または便蓋を、前記駆動手段により開動作させる開動作実行手段とを備え、前記電力送信手段は、前記電力送信用アンテナが内部に取り付けられた便座または便蓋を前記開動作実行手段により開動作させた開状態で、前記電力送信用アンテナから電力送信を行うものである。
【０００７】
請求項３記載の便器システムは、請求項１又は２に記載の便器システムにおいて、前記リモコン装置は、前記充電手段に充電された電力が所定レベル以上になると、過充電を示す信号を前記本体に対して送信する信号送信手段とを備え、前記本体は、前記リモコン装置から前記過充電を示す信号を受信した場合に、前記電力送信用アンテナによる電力送信を停止する停止手段を備えている。
【０００８】
請求項４記載の便器システムは、請求項１から３のいずれかに記載の便器システムにおいて、前記リモコン装置からの前記指示信号の送信および前記本体の前記指示信号の受信は、前記リモコン装置の電力受信用アンテナ及び前記本体の電力送信用アンテナを介して行われる。
【０００９】
請求項５記載の便器装置は、操作子の操作に基づく指示信号を送信するリモコン装置と通信可能に構成されると共に前記リモコン装置とは別体に構成され、便座および便蓋が取り付けられており、外部電源から供給される電力を前記リモコン装置に対して電波により送信する電力送信用アンテナと、人体を検知する人体検知センサと、その人体検知センサにより人体が非検知である場合に、前記電力送信用アンテナから前記リモコン装置に対して電波による電力送信を行う電力送信手段とを備えている。
【発明の効果】
【００１０】
請求項１記載の便器システムによれば、本体に設けられる人体検知センサによる人体の検知が非検知である場合には、本体の電力送信用アンテナから、その本体とは別体に設けられたリモコン装置の電力受信用アンテナに電波による電力送信が行われ、リモコン装置に設けられた充電手段に充電がなされる。よって、本体近くに人がいない場合に、本体からリモコン装置への電波による電力送信を行い、リモコン装置の充電手段に充電を行うことができる。従って、リモコン装置の充電手段に充電するために、本体からリモコン装置に対して、電力送信用アンテナ及び電力受信用アンテナを用いた電波による電力送信を行っても、ユーザが有する精密機械に悪影響を与えることを防止できるという効果がある。
【００１１】
一般的に、本体近くに人がいる（便器システムを使用する）のは、１日２４時間のうち１割程度であり、後の９割は、本体近くに人はいない（便器システムを未使用である）。よって、本体からリモコン装置への電力送信を、１日の９割の時間帯を利用して行うことができるので、リモコン装置の充電手段の充電を充分に行うことができるという効果がある。
【００１２】
請求項２記載の便器システムによれば、請求項１記載の便器システムの奏する効果に加え、次の効果を奏する。即ち、電力送信用アンテナは、便座または便蓋の内部であって、その便座または便蓋の外縁に沿って取り付けられている。また、人体検知センサによる人体の検知が非検知である場合には、電力送信用アンテナが内部に取り付けられた便座または便蓋を駆動手段により開動作させた開状態で、本体の電力送信用アンテナからリモコン装置の電力受信用アンテナへの電波による電力送信が行われる。
【００１３】
一般的に、本体とリモコン装置とは別体に構成されているので、便器システムを設置する際に、リモコン装置の配置位置が決められる。また、リモコン装置は、ユーザが便座に着座した状態で操作可能な位置で且つ、ユーザが本体の正面に立った状態で操作可能な位置に配置されるので、本体が設置される床面を基準した場合に本体の上面より上方で且つ正面側に配置される。ここで、便座または便蓋が閉じた状態で電力送信を行うと、電力送信用アンテナにより電力送信が可能となる範囲は本体より上方になる。
【００１４】
請求項２記載の便器システムによれば、便座または便蓋を開いた開状態で、本体からリモコン装置への電力送信を行うので、本体の上方だけでなく、本体の正面側にも電力送信が可能になり、本体からリモコン装置への電力送信が可能となる範囲が広くなる。よって、本体から送信される電力をリモコン装置が受信可能となる範囲も広くなるので、本体と別体に設けられるリモコン装置の配置の自由度が増すという効果がある。
【００１５】
なお、例えば、リモコン装置を、電力送信用アンテナが内部に取り付けられた便座または便蓋を開動作させた開状態で、電力送信用アンテナの一部と電力受信用アンテナの一部とが垂直方向に重なる位置に配置すれば、本体の電力送信用アンテナから送信される電力を、リモコン装置の電力受信用アンテナが確実に受信することができるので、本体からリモコン装置の充電手段への充電を効率良く行うことができる。
【００１６】
請求項３記載の便器システムによれば、請求項１又は２に記載の便器システムの奏する効果に加え、次の効果を奏する。即ち、リモコン装置では、電力受信用アンテナにより受信した電力が充電される充電手段の電力が所定レベル以上になると、過充電を示す信号が本体に対して信号送信手段により送信され、本体では、リモコン装置から過充電を示す信号を受信すると、電力送信用アンテナによる電力送信が停止手段により停止される。本体からリモコン装置への電力送信は、本体近くに人がいない１日の内の９割の時間帯で行われるので、リモコン装置の充電手段が過充電になる場合もあるが、この場合には、リモコン装置から過充電を示す信号が本体に送信されて、本体からリモコン装置への電力送信が停止される。よって、リモコン装置の充電手段が過充電になり破損したり寿命が短くなることを抑制できるという効果がある。
【００１７】
請求項４記載の便器システムによれば、請求項１から３のいずれかに記載の便器システムの奏する効果に加え、リモコン装置からの指示信号の送信および本体の指示信号の受信は、リモコン装置の電力受信用アンテナ及び本体の電力送信用アンテナを介して行われるので、信号送信用アンテナ及び信号受信用アンテナを別に設ける必要がなく、装置がシンプルになり、装置コストの低減を図ることができるという効果がある。
【００１８】
請求項５記載の便器装置によれば、人体検知センサによる人体の検知が非検知である場合には、電力送信用アンテナからリモコン装置に対して電波による電力送信が行われるので、便器装置の近くに人がいない場合に、便器装置からリモコン装置への電波による電力送信を行うことができる。よって、便器装置からリモコン装置に対して、電力送信用アンテナを用いて電波による電力送信を行う場合に、ユーザが有する精密機械に悪影響を与えることを防止できるという効果がある。
【００１９】
一般的に、便器装置の近くに人がいる（便器装置を使用する）のは、１日２４時間のうち１割程度であり、後の９割は便器装置の近くに人がいない（便器装置を未使用である）。よって、便器装置からリモコン装置への電力送信を、１日の９割の時間帯を利用して行うことができるので、リモコン装置への電力送信を充分に行うことができるという効果がある。
【発明を実施するための最良の形態】
【００２０】
以下、本発明の好ましい実施形態について、添付図面を参照して説明する。図１は、本発明の一実施形態の便器システム１を構成する本体（便器装置）２とリモコン装置３との概略を示した図であり、図１（ａ）は、本体２とリモコン装置３との概略を示した斜視図であり、図１（ｂ）は、図１（ａ）のＩｂ−Ｉｂ線におけるリモコン装置１の内部構成の概略を示した断面図である。なお、図１（ａ）において、矢印Ｘ方向は、本体２の左右方向を示しており、矢印Ｙ方向は、本体２の奥行方向を示しており、矢印Ｚ方向は、本体２の上下方向を示している。また、矢印Ｄは、本体２からリモコン装置３に対して電力送信を行う電波の進行方向を示している。
【００２１】
本実施形態の便器システム１は、本体２に人体検知センサ１６を設け、その人体検知センサ１６により人体が非検知である場合に、本体２からリモコン装置３への電波による電力送信を行い、リモコン装置３の充電を行うものである。
【００２２】
図１（ａ）に示すように、本体２は、主に、床面（図示せず）に設置されると共に上部（矢印Ｚ方向上側の面）に略楕円形の開口（図示せず）が形成される便器１０と、その便器１０の上面（矢印Ｚ方向上側の面）に配置されると共に便器１０の開口より小さい略楕円形の開口（図示せず）が中央に形成される便座１１と、その便座１１の上面（矢印Ｚ方向上側の面）に配置されると共に便器１０及び便座１１の開口を閉鎖する便蓋１２と、便器１０の後方（矢印Ｙ方向左側）に配置されるケース１３とを備えている。なお、便座１１及び便蓋１２は、便器１０の後端（矢印Ｙ方向左側の端部）に軸着され、便器１０に対してそれぞれ揺動可能に構成されている。
【００２３】
便蓋１２の内部には、その便蓋１２の外縁に沿った形状に形成される電力送信用アンテナ１４が設けられいる。また、ケース１３の内部には、電力送信用アンテナ１４に対して電力を供給してリモコン装置３に対して電力送信などを行う制御ユニット１５と、その制御ユニット１５に接続されると共に本体２の近くにいる人を検知する人体検知センサ１６と、制御ユニット１５に接続されると共にリモコン装置３から送信される制御信号（後述する指示信号や過充電信号、充電許可信号など）を受光窓１７を介して受信する受光素子１８とが設けられている。
【００２４】
リモコン装置３は、本体２に対して各種指示を行う操作子としての複数の操作ボタン２１と、リモコン装置３から本体２に送信される制御信号が通過する発光窓２２と、リモコン装置３の外縁に沿った形状に形成される電力受信用アンテナ２３とを備えている。なお、操作子２０は、その表面に「止」、「シャワー」、「チャーム」及び「乾燥」が表示されており、本体２に対する各種機能を指示可能に構成されているが、便器システム１において公知の技術なので、その説明は省略する。
【００２５】
図１（ｂ）に示すように、リモコン装置３は、その内部が仕切り板２４によって、操作ボタン２１が設けられた表面側と、トイレの側壁などに対向する裏面側とに２分割されている。リモコン装置３の表面側には、発光窓２２に対応する位置に設けられると共に制御信号を送信する発光素子２５と、リモコン装置３における各種制御を行う制御基板２６とが設けられている。なお、本実施形態では、発光素子２５からは赤外線が発光され、光通信により制御信号が本体２に送信されるように構成されている。
【００２６】
一方、リモコン装置３の裏面側には、その外周に沿って配置される電力受信用アンテナ２３と、その電力受信用アンテナ２３により受信した電力を充電する充電回路２７及びキャパシター装置２８とが設けられている。なお、キャパシター装置２８は、充電回路２７に比べて早期の充放電が可能であり、発光素子２５や制御基板２６で必要な電力を充電回路２７から受け取り、制御基板２６に供給する役割を有している。
【００２７】
次に、図２を参照して、本体２及びリモコン装置３の電気回路図の概略について説明する。図２は、本体２及びリモコン装置３の電気回路図の概略を示したブロック図である。なお、図２では、本体２からリモコン装置３への電力送信およびリモコン装置３から本体２への信号送信に無関係な構成については、図示を省略してある。
【００２８】
図２に示すように、本体２の制御ユニット１５には、ＣＰＵなどの演算処理装置を有する制御回路３１と、その制御回路３１からの指示に基づいて電力送信用アンテナ１４から電力送信を行う送信回路３２と、受光素子１８により受光した信号をデジタル信号に変換して制御回路３１に入力する受信回路３４とが設けられている。また、制御回路３１には、人体検知センサ１６が接続されており、人体検知センサ１６による人体検知の入力が制御回路３１に入力される。
【００２９】
制御回路３１は、ユーザによるリモコン装置３の操作ボタン２１の操作に応じた指示信号が、受光素子１８及び受信回路３４を介して入力されると、その入力された指示信号に基づいた制御を行う。また、人体検知センサ１６により人が検知されていない場合（非検知の場合）に、送信回路３２及び電力送信用アンテナ１４を介してリモコン装置３に対して電力を送信する制御や、リモコン装置３の充電回路２７（図１（ｂ）参照）の充電量が所定レベル以上であった場合にリモコン装置３から送信される過充電信号を受信すると、電力送信用アンテナ１４からリモコン装置３に対しての電力送信を停止する制御などが行われる。
【００３０】
リモコン装置３には、ＣＰＵなどの演算処理装置を有する制御回路４１と、その制御回路４１からの指示に基づいて操作ボタン２１の操作に基づいた指示信号などを発光素子２５から送信する送信回路４２と、本体２の電力送信用アンテナ１４から送信された電力を電力受信用アンテナ２３を介して受信する受信回路４３と、その受信回路４３に接続されて電力受信用アンテナ２３により受信した電力を充電する充電回路部４４と、操作ボタン２１による操作信号を判断する操作信号判断回路４５とが設けられている。なお、充電回路部４４は、上述した充電回路２７とキャパシター装置２８とを有し、更に、充電回路２７に充電される電力が所定レベル（例えば、充電回路２７の最大充電量の９０パーセント）以上になったか否かを検出する過充電検出回路４６を有している。
【００３１】
制御回路４１は、操作ボタン２１の操作に応じた操作信号が操作信号判断回路４５から入力されると、その操作された操作ボタン２１に応じた指示信号を、発光素子２５を介して本体２に送信させる指示を送信回路４２に出力する制御を行うと共に、過充電検出回路４６から入力される過充電を示す信号に基づいて過充電信号または充電許可信号を発光素子２５を介して本体２に送信させる指示を送信回路４２に出力する制御を行う。
【００３２】
次に、図３を参照して、本体２の制御回路３１で実行される電力送信処理、及び、リモコン装置３の制御回路４１により実行される過充電検出処理について説明する。図３（ａ）は、本体２の制御回路３１において実行される電力送信処理を示したフローチャートであり、図３（ｂ）は、リモコン装置３の制御回路４１において実行される過充電検出処理を示したフローチャートである。なお、電力送信処理は、図示しない外部電源から本体２に電力が供給されている間繰り返し実行される処理であり、過充電検出処理は、充電回路２７（キャパシター装置２８）から電力が供給されて制御回路４１が動作している間繰り返し実行される処理である。
【００３３】
図３（ａ）に示す電力送信処理が実行されると、まず、人体検知センサ１６により人が検知されたか否かを確認し（Ｓ１）、人体検知センサ１６により人が検知されていれば（Ｓ３：Ｙｅｓ）、本体２の近くに人がいるので、本体２からリモコン装置３への電力送信用アンテナ１４及び電力受信用アンテナ２３を介した電波による電力送信を停止して（Ｓ２）、Ｓ５の処理へ移行する。
【００３４】
一方、Ｓ１の処理で確認した結果、人体検知センサ１６により人が検知されていなければ（Ｓ１：Ｎｏ）、リモコン装置３が過充電の状態か充電可能な状態かを確認する（Ｓ３）。Ｓ３の処理では、リモコン装置３から送信された信号が、過充電信号であるか充電許可信号であるか否かを確認する処理である。
【００３５】
Ｓ３の処理で確認した結果、リモコン装置３から過充電信号を受信していれば（Ｓ３：Ｙｅｓ）、電力送信を停止するために、Ｓ２の処理に移行する。また、リモコン装置３から充電許可信号を受信していれば（Ｓ３：Ｎｏ）、リモコン装置３が充電可能な状態なので、本体２からリモコン装置３への電力送信用アンテナ１４及び電力受信用アンテナ２３を介した電波による電力送信を開始し（Ｓ４）、Ｓ５の処理へ移行する。
【００３６】
Ｓ５の処理では、その他の処理を実行し、その後、Ｓ１の処理へ戻る。その他の処理（Ｓ５）とは、リモコン装置３から送信される指示信号の有無を確認し、その指示信号の有無に応じて、水の止水および吐水や、シャワー（図示せず）の止水および吐水、便座が有するヒータ（図示せず）への通電の開始および停止などを行う処理である。
【００３７】
図３（ｂ）に示す過充電検出処理が実行されると、まず、過充電検出回路４６により充電回路部４４（充電回路２７）の充電量が所定レベル以上になったか、即ち、過充電が検出されたか否かを確認する（Ｓ１１）。
【００３８】
Ｓ１１の処理で確認した結果、過充電検出回路４６により過充電が検出されると（Ｓ１１：Ｙｅｓ）、過充電信号が本体２に対して送信済みであるか否かを確認し（Ｓ１２）、過充電信号が本体２に対して送信されていなければ（Ｓ１２：Ｎｏ）、過充電であることを示す過充電信号を本体２に送信し（Ｓ１３）、過充電信号が本体２に対して送信済みであれば（Ｓ１２：Ｙｅｓ）、Ｓ１３の処理を実行せずに、Ｓ１６の処理へ移行する。
【００３９】
一方、Ｓ１１の処理で確認した結果、過充電検出回路４６により過充電が検出されていなければ、（Ｓ１１：Ｎｏ）、充電許可信号が本体２に対して送信済みであるか否かを確認し（Ｓ１４）、充電許可信号が本体２に対して送信されていなければ（Ｓ１４：Ｎｏ）、充電が可能であることを示す充電許可信号を本体２に送信し（Ｓ１５）、充電許可信号が本体２に対して送信済みであれば（Ｓ１４：Ｙｅｓ）、Ｓ１５の処理を実行せずに、Ｓ１６の処理へ移行する。
【００４０】
Ｓ１６の処理では、その他の処理を実行し、その後、Ｓ１１の処理へ戻る。その他の処理（Ｓ１６）とは、操作信号判断回路４５から操作ボタン２１の操作に基づく操作信号が入力されたか否かを確認し、操作信号が入力されていれば、その操作信号に応じた指示信号を、本体２に送信する処理である。
【００４１】
なお、Ｓ１２及びＳ１４の処理で、過充電信号および充電許可信号が本体２に対して送信済みであるか否かを確認しているのは、頻繁に過充電信号および充電許可信号が本体２に送信されることを抑制するためである。これは、発光素子２５による信号の送信は、制御回路４１や過充電検出回路４６、操作信号判断回路４５などを駆動するのに必要な電力に比べて多くの電力が必要になるので、その多くの電力が必要になる過充電信号および充電許可信号が頻繁に送信されて、充電回路２７に充電される電力が早期に消費されてしまうことを抑制するためである。
【００４２】
以上説明したように、便器システム１によれば、本体２の人体検知センサ１６により人が検知されていない場合に、本体２の電力送信用アンテナ１４からリモコン装置３の電力受信用アンテナ２３に対して電波による電力送信が行われ、リモコン装置３の充電回路２７に充電がなされる。よって、本体２の近くに人がいない場合に、本体２からリモコン装置３への電波による電力送信を行うことができる。よって、リモコン装置３の充電回路２７を受電するために、本体２からリモコン装置３に対して、電力送信用アンテナ１４及び電力受信用アンテナ２３を用いて電波により電力送信を行っても、ユーザが有する精密機械（例えば、ペースメーカなど）に悪影響を与えることを防止できる。
【００４３】
一般的に、ユーザが便器システム１を使用する時間帯は、１日２４時間のうち１割の２，３時間程度であり、後の９割の時間帯は、ユーザにより便器システム１が使用されていない。よって、本体２からリモコン装置３への電力送信を、１日の内の９割の時間帯で行うことができるので、リモコン装置３の充電回路２７に対する充電を充分に行うことができる。
【００４４】
また、リモコン装置３では、電力受信用アンテナ２３により受信して充電回路２７に蓄えられる電力が所定レベル以上になると、過充電検出回路４６により過充電を検出し、過充電信号を本体２に対して送信する。そして、本体２では、リモコン装置３から過充電信号を受信すると、電力送信用アンテナ１４による電力送信が停止されるので、リモコン装置３の充電回路２７が過充電となって、破損したり寿命が短くなることを抑制できる。
【００４５】
次に、図４及び図５を参照して、第２実施形態の便器システム１について説明する。図４は、第２実施形態の便器システム１の概略を示した図であり、図４（ａ）は、第２実施形態の便器システム１の概略を示した斜視図であり、図４（ｂ）は、第２実施形態の便器システム１の電気的構成の概略を示したブロック図である。図５は、第２実施形態の本体２の制御回路３１により実行される電力送信処理を示したフローチャートである。
【００４６】
第１実施形態の便器システム１では、本体２からリモコン装置３への電力送信を便蓋１２が閉じた状態で行うように構成したが、これに代えて、第２実施形態の便器システム１では、便蓋１２を自動で開動作して便蓋１２が開いた開状態で本体２からリモコン装置３への電力送信を行うように構成した。なお、第２実施形態の便器システム１において、第１実施形態と同一の部分には同一の符号を付して、その説明は省略する。
【００４７】
まず、図４（ｂ）を参照して、第２実施形態の便器システム１の電気ブロック図について説明する。図４（ｂ）に示すように、第２実施形態の便器システム１は、本体２の制御回路３１に、便蓋開閉モータ５１が接続されており、便蓋１２を自動で開閉動作できるように構成されている。
【００４８】
また、図４（ａ）に示すように、第２実施形態の便器システム１では、便蓋開閉モータ５１によって、便座１２が開動作された開状態で、本体２からリモコン装置３への電力送信が行われることが図示されている。
【００４９】
このように構成された第２実施形態の便器システム１において、本体２の制御回路３１により電力送信処理が実行され、人体検知センサ１６により人が検知されずに、リモコン装置３が過充電でなければ（Ｓ１：Ｎｏ、Ｓ３：Ｎｏ）、ウェイト時間が経過したか否かを確認し（Ｓ２１）、ウェイト時間が経過していなければ（Ｓ２１：Ｎｏ）、Ｓ１の処理へ戻る。
【００５０】
一方、Ｓ２１の処理で確認した結果、ウェイト時間が経過していれば（Ｓ２１：Ｙｅｓ）、便蓋開閉モータ５１に対して開駆動の指示を出力して（Ｓ２２）、便蓋１２を開動作させて便蓋１２が開状態（図４（ａ）の状態）になると、Ｓ４の処理で電力送信を開始する。
【００５１】
なお、Ｓ２１の処理は、例えば、５分程度のウェイト時間が経過したか否かを確認する処理である。このウェイト時間を設けるのは、人体検知センサ１６により人が非検知となって直ぐに便蓋１２が開動作して、本体２から離れきれていないユーザが便蓋１２の開動作を認識してしまうことを防止するためである。ユーザは、便蓋１２の開動作を認識すると、本体２の近くに移動して便蓋１２を閉じるが、その後、ユーザが本体２から離れると、再度、便蓋１２が開動作してしまうので、使い勝手が悪い便器システム１となってしまう。そこで、第２実施形態のように、便蓋１２が開動作して開状態となった後に、本体２からリモコン装置３への電力送信を行う場合には、例えば、便蓋１２の開動作の前に、５分程度のウェイト時間を設けることで、便器システム１の使い勝手が悪くなることを抑制できる。
【００５２】
一方、人体検知センサ１６により人が検知されたり、リモコン装置３が過充電であり、本体２からリモコン装置３への電力送信が停止されると（Ｓ１：Ｙｅｓ又はＳ３：Ｙｅｓ、Ｓ２）、便蓋開閉モータ５１に対して閉駆動の指示を出力した後に（Ｓ２３）、Ｓ５の処理へ移行する。
【００５３】
以上、説明したように、第２実施形態の便器システム１では、人体検知センサ１６により人が検知されていない場合には、便蓋１２を便蓋開閉モータ５１により開動作させて開状態になった後に、本体２からリモコン装置３に対して電力送信が行われる。
【００５４】
一般的に、本体２とリモコン装置３とは、便器システム１を設置する際に、リモコン装置３の配置位置が決められる。また、リモコン装置３は、ユーザが便座１１に着座した状態で操作可能な位置で且つ、ユーザが本体２の正面に立った状態で操作可能な位置に配置されるので、本体２が設置される床面（図示せず）を基準した場合に便器１０の上面より上方（矢印Ｚ方向上方）で且つ本体２の正面側（矢印Ｙ方向右側）に配置される（即ち、図４（ａ）に示す位置）。ここで、便座１１または便蓋１２が閉じた状態で電力送信を行うと、電力送信用アンテナ１４により電力送信が可能となる主な範囲は、本体２の上方になる。しかし、便蓋１２が開いた開状態で電力送信を行うと、本体２の上方だけでなく、本体２の正面側にも電力送信が可能になるので、本体２からリモコン装置３に電力送信が可能になる範囲が広くなる。よって、本体２からリモコン装置３への電力送信が行われる範囲が広くなり、本体２から送信される電力をリモコン装置３が受信可能となる範囲も広くなるので、リモコン装置３の配置の自由度を増すことができる。
【００５５】
また、リモコン装置３は、矢印Ｙ方向視において、便蓋１２が開動作をした開状態で、本体２の電力送信用アンテナ１４とリモコン装置３の電力受信用アンテナ２３とが、矢印Ｚ方向に重なるように配置されている。よって、本体２の電力送信用アンテナ１４から送信される電力を、リモコン装置３の電力受信用アンテナ２３が確実に受信することができるので、本体２からリモコン装置３への充電を効率よく行うことができる。
【００５６】
次に、図６を参照して、第３実施形態の便器システム１について説明する。図６は、第３実施形態の便器システム１の電気的構成の概略を示すブロック図である。
【００５７】
第１実施形態の便器システム１では、リモコン装置３から本体２への制御信号の送信を、発光素子２５及び受光素子１８により赤外線により行うように構成したが、これに代えて、第３実施形態の便器システム１では、リモコン装置３から本体２への制御信号の送信を、電力送信・信号受信用アンテナ６１及び電力受信・信号送信用アンテナ６２を介して電波により行うように構成した。なお、第３実施形態の便器システム１において、第１実施形態と同一の部分には同一の符号を付して、その説明は省略する。
【００５８】
図６に示すように、第３実施形態の便器システム１の本体２は、受信回路３４が受光素子１８ではなく、電力送信・信号受信用アンテナ６１に接続されている。つまり、電力を送信するためのアンテナを用いて制御信号の受信も行うように構成されている。
【００５９】
また、リモコン装置３では、送信回路４２が発光素子２５ではなく、電力受信・信号送信用アンテナ６２に接続されている。つまり、電力を受信するためのアンテナを用いて制御信号の送信も行うように構成されている。
【００６０】
なお、第３実施形態の本体２の制御回路３１は、人体検知センサ１６により人が検知されていない場合に、電力送信・信号受信用アンテナ６１を介した電力送信を一定間隔毎に行うように構成されている（例えば、５秒間の電力送信期間と０．５秒間の電力送信停止期間）。これは、リモコン装置３から、どのタイミングで送信されるか不明な過充電信号を確実に本体２が受信するためである。つまり、リモコン装置３の制御回路４１は、本体２の電力送信・信号受信用アンテナ６１から一定間隔毎の電力送信が行われていない間（即ち、上述した電力送信停止期間）に、過充電信号を送信するように構成されている。
【００６１】
また、リモコン装置３の操作ボタン２１をユーザが操作する場合には、本体２の近くにユーザがいるので、人体検知センサ１６により人が検知され、本体２からリモコン装置３への電力送信は行われない。よって、本体２は、リモコン装置３からの指示信号などを正確に受信することができる。
【００６２】
以上、説明したように、第３実施形態の便器システム１では、電力を送信または受信するために設けられたアンテナを、制御信号の受信または送信に使用できるので、制御信号を送信または受信するための専用アンテナを設ける必要がなく、便器システム１の構成がシンプルになり、装置コストの低減を図ることができる。さらに、電力送信および信号送信を電波による送信に統一できるので、発光素子２５を発光させる回路や、受信素子１８により受信した光信号をデジタル信号に変換する回路などが不要になり、その分、装置コストの低減をも図ることができる。
【００６３】
また、上述したように、発光素子２５による信号の送信は、制御回路４１や過充電検出回路４６、操作信号判断回路４５などを駆動するのに必要な電力に比べて多くの電力が必要になるが、第３実施形態の便器システム１によれば、多くの電力が必要になる発光素子２５による信号送信自体を行わないので、充電回路２７に充電される電力が早期に消費されることを抑制できる。
【００６４】
次に、図７及び図８を参照して、電力送信用アンテナ１４（及び電力送信・信号受信用アンテナ６１）が配置される位置についての第１〜第５変形例について簡単に説明する。図７及び図８は、電力送信用アンテナ１４の配置位置の変形例を示す本体２の斜視図である。なお、以下の説明では、電力送信用アンテナ１４について説明するが、電力送信・信号受信用アンテナ６１についても同様の配置位置とするものとしても良い。
【００６５】
また、第１〜第５変形例は、第１実施形態と同様に、人体検知センサ１６により人が非検知である場合に、本体２からリモコン装置３への電波による電力送信を行うので、第１実施形態と同様の効果、即ち、電力送信用アンテナ１４及び電力受信用アンテナ２３を用いて電波により電力送信を行う際に、ユーザが有する精密機械（例えば、ペースメーカなど）に悪影響を与えることを防止できるし、リモコン装置３の充電回路２７に対する充電を充分に行うことができるという効果を奏する。よって、第１〜第５変形例の説明では、第１実施形態と同様の効果についての記載は省略する。
【００６６】
図７（ａ）に示すように、第１変形例は、電力送信用アンテナ１４が便蓋１２ではなく、便座１１の外周に沿った形状で、その便座１１の内部に配置されている。また、第１変形例の本体２において、便蓋開閉モータ５１により便座１１も開閉可能に構成することで、便座１１を開動作した開状態で電力送信を行うこともできる。この構成では、第２実施形態と同様の効果、即ち、本体２から送信される電力をリモコン装置３が受信可能となる範囲が広くなるので、リモコン装置３の配置の自由度を増すことができるし、本体２からリモコン装置３への充電を効率よく行うことができるという効果を奏する。
【００６７】
図７（ｂ）に示すように、第２変形例は、電力送信用アンテナ１４が便蓋１２ではなく、便器１０の上部の内周部に配置されている。第２変形例では、電力送信用アンテナ１４が、便座１１や便蓋１２のような稼働部材ではなく、固定部材である便器１０に設けられているので、電力送信用アンテナ１４に接続される配線の折れ曲がりなどを防止でき、その配線が断線することを抑制できる。
【００６８】
図８（ａ）に示すように、第３変形例は、電力送信用アンテナ１４が便蓋１２ではなく、ケース１３の上部の外縁に沿って、そのケース１３の内部に配置されている。第３変形例では、電力送信用アンテナ１４が、便座１１や便蓋１２のような稼働部材ではなく、固定部材であるケース１３に設けられているので、電力送信用アンテナ１４に接続される配線の折れ曲がりなどを防止でき、その配線が断線することを抑制できる。また、第３変形例では、制御ユニット１５などの電装部品と電力送信用アンテナ１４とが１のケース１３内に設けられるので、電装部品を１つにまとめてユニット化できる。よって、他機種の便器１０，便座１１，便蓋１２の組み合わせに流用することができる。
【００６９】
図８（ｂ）に示すように、第４変形例では、電力送信用アンテナ１４が便蓋１２ではなく、ケースと一体に形成される共に水が貯留されるタンク７１の前面全体の内部に配置されている。第４変形例では、電力送信用アンテナ１４が、便座１１や便蓋１２のような稼働部材ではなく、固定部材であるタンク７１に設けられているので、電力送信用アンテナ１４に接続される配線の折れ曲がりなどを防止でき、その配線が断線することを抑制できる。また、本体２からリモコン装置３への電力送信の電波の進行方向（矢印Ｄ）が、本体２の正面側に向かうので、リモコン装置３の配置の自由度を増すことができるし、本体２からリモコン装置３への充電を効率よく行うことができる。
【００７０】
図８（ｃ）に示すように、第５変形例では、電力送信用アンテナ１４が便蓋１２ではなく、タンク７１の上部に配置されると共にタンク７１内に貯留する水を供給する洗面部７２の前面内部に配置されている。第５変形例では、電力送信用アンテナ１４が、便座１１や便蓋１２のような稼働部材ではなく、固定部材である洗面部７２に設けられているので、電力送信用アンテナ１４に接続される配線の折れ曲がりなどを防止でき、その配線が断線することを抑制できる。
【００７１】
なお、図７及び図８に示す変形例以外にも、電力送信用アンテナ１４から送信した電力を電力受信用アンテナ２３が受信可能となる位置であれば、電力送信用アンテナ１４を本体２のどの部分に配置しても良い。
【００７２】
以上、実施形態に基づき本発明を説明したが、本発明は上述した実施の形態になんら限定されるものではなく、本発明の趣旨を逸脱しない範囲内で種々の改良変更が可能であることは容易に推察できるものである。
【００７３】
例えば、上記実施形態では、過充電検出回路４６による過充電の検出の有無を、例えば、充電回路２７の最大充電量の９０パーセント以上であるか否かに応じて行うものとしたが、充電回路２７の性能に応じて過充電を検出する閾値を、例えば、８０パーセント以上、７０パーセント以上など適宜変更しても良い。また、過充電であるという検出を９０パーセント以上のままで、過充電でないという検出を７０パーセント以下に設定するように構成しても良い。この構成にすれば、本体２からの電力送信の開始または停止が頻繁に行われることを抑制できるので、特に、便蓋１２を開動作した開状態で本体２からリモコン装置３に電力送信を行う場合に、便蓋１２の開閉動作が頻繁に行われることを抑制することができる。
【００７４】
また、上記第１及び第２実施形態では、リモコン装置３から本体２への信号送信を赤外線で行うものとし、上記第３実施形態では、電波で行うものとしたが、その他に、超音波により行うものとしても良い。
【図面の簡単な説明】
【００７５】
【図１】本発明の一実施形態の便器システムを構成する本体とリモコン装置との概略を示した図であり、（ａ）は、本体とリモコン装置との概略を示した斜視図であり、（ｂ）は、図１（ａ）のＩｂ−Ｉｂ線におけるリモコン装置の内部構成の概略を示した断面図である。
【図２】本体及びリモコン装置の電気回路図の概略を示したブロック図である。
【図３】（ａ）は、本体の制御回路において実行される電力送信処理を示したフローチャートであり、（ｂ）は、リモコン装置の制御回路において実行される過充電検出処理を示したフローチャートである。
【図４】第２実施形態の便器システムの概略を示した図であり、（ａ）は、第２実施形態の便器システムの概略を示した斜視図であり、（ｂ）は、第２実施形態の便器システムの電気的構成の概略を示したブロック図である。
【図５】第２実施形態の本体の制御回路により実行される電力送信処理を示したフローチャートである。
【図６】第３実施形態の便器システムの電気的構成の概略を示すブロック図である。
【図７】電力送信用アンテナの配置位置の変形例を示す本体の斜視図である。
【図８】電力送信用アンテナの配置位置の変形例を示す本体の斜視図である。
【符号の説明】
【００７６】
１          便器システム
２          本体（便器装置）
３          リモコン装置
１１        便座
１２        便蓋
１４        電力送信用アンテナ
１６        人体検知センサ
２１        操作ボタン（操作子）
２３        電力受信用アンテナ
２７        充電回路（充電手段）
３２        送信回路（電力送信手段の一部）
５１        便蓋開閉モータ（駆動手段）
Ｓ２        停止手段
Ｓ４        電力送信手段
Ｓ１３      送信手段
Ｓ２２      開動作実行手段
【図１】
2010053536.tif 000003
【図２】
2010053536.tif 000004
【図３】
2010053536.tif 000005
【図４】
2010053536.tif 000006
【図５】
2010053536.tif 000007
【図６】
2010053536.tif 000008
【図７】
2010053536.tif 000009
【図８】
2010053536.tif 000010